(57)【要約】【課題】ガラリの強度を高めることができるガラリの補強金具を提供する。【解決手段】床部２に形成された開口３に嵌め込まれる複数の床用ガラリ部材１Ａ，１Ａ，１Ｂ，１Ｂの端部を垂直荷重に対して補強する床用ガラリ１の補強金具４Ａ，４Ｂであって、垂直板状をなし、左右に開口３の縁部に係止する係止部４１，４１を有し、床部２の開口３に嵌め込んだ際に隣り合う床用ガラリ部材１Ａ，１Ａ間及び床用ガラリ部材１Ａ，１Ｂ間に介装される構成とされている。【選択図】図９
2015175579.tif 000002
【特許請求の範囲】
【請求項１】
建物の所定の面に形成された開口に嵌め込まれる複数のガラリ部材の端部を前記所定の面に垂直な荷重に対して補強するガラリの補強金具であって、
垂直板状をなし、左右に前記開口の縁部に係止する係止部を有し、前記開口に嵌め込んだ際に隣り合う前記ガラリ部材間に介装されることを特徴とするガラリの補強金具。
【請求項２】
前記開口に嵌め込んだ際に隣り合う前記ガラリ部材の一方の端部に固定するための固定部を有することを特徴とする請求項１に記載のガラリの補強金具。
【請求項３】
前記固定部は、前記ガラリ部材の一方の端部に締結部材で固定するための挿通孔であることを特徴とする請求項２に記載のガラリの補強金具。
【請求項４】
下部に、前記開口に嵌め込んだ際に隣り合う前記ガラリ部材の少なくとも一方の端部の下面を支持する膨出部を有することを特徴とする請求項１乃至３のいずれか１項に記載のガラリの補強金具。
【請求項５】
前記ガラリ部材の両方の端部の下面を支持する膨出部を有することを特徴とする請求項４に記載のガラリの補強金具。
【請求項６】
前記膨出部は、プレス加工で成形加工されていることを特徴とする請求項４又は５に記載のガラリの補強金具。
【請求項７】
前記開口に嵌め込んだ際に隣り合う前記ガラリ部材の少なくとも一方の上部に形成された突出縁部で隠蔽される板厚であることを特徴とする請求項１乃至６のいずれか１項に記載のガラリの補強金具。
【請求項８】
前記開口に嵌め込んだ際に隣り合う前記ガラリ部材間に形成された嵌合突起が嵌り込む切欠が設けられていることを特徴とする請求項１乃至７のいずれか１項に記載のガラリの補強金具。
【請求項９】
請求項１乃至８のいずれか１項に記載のガラリの補強金具を備えていることを特徴とするガラリ。
【発明の詳細な説明】
【技術分野】
【０００１】
本発明は、建物の床部等に用いられるガラリの強度を高めることができるガラリの補強金具、及びこの補強金具を用いたガラリに関するものである。
【背景技術】
【０００２】
従来から、建物内の床上空間と床下空間との間で、換気用の空気や空調用の空気を循環させるなどのために、床部に開口が形成され、この開口に床用ガラリを設けることがなされている（例えば、特許文献１等を参照）。
【先行技術文献】
【特許文献】
【０００３】
【特許文献１】特開２０１３−１００９５９号公報
【発明の概要】
【発明が解決しようとする課題】
【０００４】
しかしながら、従来の床用ガラリは、通常、製造が容易な樹脂製のものなどであり、その強度はそれほど高いとは言えない。
【０００５】
特に、循環させる換気用の空気や空調用の空気の量を多くするために、床用ガラリを複数の床用ガラリ部材で構成すると、大きな垂直荷重がかかった際に、床用ガラリ部材の端部が撓んでしまうため、体重のある人がその床用ガラリの上を歩行する時に違和感を感じることがあった。
【０００６】
そこで、本発明は、ガラリの強度を高めることができるガラリの補強金具、及びこの補強金具を用いたガラリを提供することを目的としている。
【課題を解決するための手段】
【０００７】
前記目的を達成するために、本発明のガラリの補強金具は、建物の所定の面に形成された開口に嵌め込まれる複数のガラリ部材の端部を前記所定の面に垂直な荷重に対して補強するガラリの補強金具であって、垂直板状をなし、左右に前記開口の縁部に係止する係止部を有し、前記開口に嵌め込んだ際に隣り合う前記ガラリ部材間に介装されることを特徴とする。
【０００８】
ここで、前記開口に嵌め込んだ際に隣り合う前記ガラリ部材の一方の端部に固定するための固定部を有するとよい。
【０００９】
また、前記固定部は、前記ガラリ部材の一方の端部に締結部材で固定するための挿通孔であるとよい。
【００１０】
さらに、下部に、前記開口に嵌め込んだ際に隣り合う前記ガラリ部材の少なくとも一方の端部の下面を支持する膨出部を有するとよい。
【００１１】
また、前記ガラリ部材の両方の端部の下面を支持する膨出部を有するとよい。
【００１２】
さらに、前記膨出部は、プレス加工で成形加工されているとよい。
【００１３】
また、前記開口に嵌め込んだ際に隣り合う前記ガラリ部材の少なくとも一方の上部に形成された突出縁部で隠蔽される板厚であるとよい。
【００１４】
さらに、前記開口に嵌め込んだ際に隣り合う前記ガラリ部材間に形成された嵌合突起が嵌り込む切欠が設けられているとよい。
【００１５】
本発明のガラリは、上記した本発明のガラリの補強金具を備えていることを特徴とする。
【発明の効果】
【００１６】
このような本発明のガラリの補強金具は、建物の所定の面に形成された開口に嵌め込まれる複数のガラリ部材の端部を所定の面に垂直な荷重に対して補強するガラリの補強金具であって、垂直板状をなし、左右に開口の縁部に係止する係止部を有し、開口に嵌め込んだ際に隣り合うガラリ部材間に介装される構成とされている。
【００１７】
上記した構成なので、補強金具により、開口に嵌め込んだ際に隣り合うガラリ部材の端部が補強されるため、ガラリの強度を高めることができ、例えば、床用ガラリとして用いると、その上を歩行しても撓みが少ないので違和感がない。
【００１８】
ここで、開口に嵌め込んだ際に隣り合うガラリ部材の一方の端部に固定するための固定部を有する場合は、一方のガラリ部材の端部に補強金具を固定した状態とするので、通常と同様、開口にガラリ部材を嵌め込むだけで、隣り合うガラリ部材間に補強金具が介装された状態とすることができる。
【００１９】
また、固定部は、ガラリ部材の一方の端部に締結部材で固定するための挿通孔である場合は、一方のガラリ部材の端部に補強金具を容易に固定することができる。
【００２０】
さらに、下部に、開口に嵌め込んだ際に隣り合うガラリ部材の少なくとも一方の端部の下面を支持する膨出部を有する場合は、膨出部が支持するガラリ部材の端部の下面部分も補強することができる。
【００２１】
また、ガラリ部材の両方の端部の下面を支持する膨出部を有する場合は、膨出部が支持する両方のガラリ部材の端部の下面部分も補強することができる。
【００２２】
さらに、膨出部は、プレス加工で成形加工されている場合は、膨出部を容易に形成することができる。
【００２３】
また、開口に嵌め込んだ際に隣り合うガラリ部材の少なくとも一方の上部に形成された突出縁部で隠蔽される板厚である場合は、突出縁部により、補強金具の上面も隠蔽されるので、意匠的外観が良いものとすることができる。
【００２４】
さらに、開口に嵌め込んだ際に隣り合うガラリ部材間に形成された嵌合突起が嵌り込む切欠が設けられている場合は、嵌合突起により、ガラリ部材間のガタツキを防止することができるうえに、ガラリ部材間に補強金具を介装することができる。
【００２５】
このような本発明のガラリは、上記した本発明のガラリの補強金具を備えた構成とされている。
【００２６】
上記した構成なので、上記した本発明のガラリの補強金具の効果を奏するものとすることができる。
【図面の簡単な説明】
【００２７】
【図１】実施例の床用ガラリの概略構成を示す平面図である。
【図２】図１におけるＡ−Ａ線矢視断面図である。
【図３】図１におけるＢ−Ｂ線矢視断面図である。
【図４】図２におけるＣ部拡大図である。
【図５】図２におけるＤ部拡大図である。
【図６】中間の床用ガラリ部材間に介装される補強金具を斜め正面から見た斜視図である。
【図７】図６の補強金具を斜め背面から見た斜視図である。
【図８】中間の床用ガラリ部材の端部と図６の補強部材との取り合いを示す分解斜視図である。
【図９】中間の床用ガラリ部材の端部同士の取り合いを示す分解斜視図である。
【図１０】中間の床用ガラリ部材と端部の床用ガラリ部材との間に介装される補強金具を斜め正面から見た斜視図である。
【図１１】他の実施例の床用ガラリの概略構成を示す平面図である。
【発明を実施するための形態】
【００２８】
以下、本発明を実施するための形態を、図面に示す実施例に基づいて説明する。
【実施例】
【００２９】
先ず、実施例の構成について説明する。
【００３０】
図１〜図３は、実施例の床用ガラリ１の概略構成を示している。
【００３１】
まず、この床用ガラリ１は、建物の床部２を構成する床仕上材２０及び床下地材２１に形成された略矩形状の開口３に、中間の樹脂製の床用ガラリ部材１Ａ，１Ａと、端部の樹脂製の床用ガラリ部材１Ｂ，１Ｂとの計４枚を嵌め込んで成る。
【００３２】
そして、図２〜図５に示したように、隣り合う床用ガラリ部材１Ａ，１Ａ間には、開口３の床仕上材２０と床下地材２１とで段差状に形成された長辺側の縁部に、左右の係止部４１，４１がそれぞれ係止された状態で、補強金具４Ａが介装されており、垂直荷重に対する補強がなされている。
【００３３】
また、隣り合う床用ガラリ部材１Ａ，１Ｂ間にも、開口３の床仕上材２０と床下地材２１とで段差状に形成された長辺側の縁部に、左右の係止部４１，４１がそれぞれ係止された状態で、補強金具４Ｂが介装されて、垂直荷重に対する補強がなされている。
【００３４】
なお、図２に示したように、床仕上材２０及び床下地材２１は、床梁５，５間に架設された床小梁５０，・・・で支持されているとともに、開口３を形成したことによる床強度の低下を補完するために、開口３の下部に位置する床小梁５０，５０間には、補強根太６がそれぞれ設けられている。
【００３５】
また、中間の床用ガラリ部材１Ａの下部には、この床用ガラリ部材１Ａの孔よりも目が細かい落下物防止用のフィルター７がそれぞれ設けられている。
【００３６】
さらに、図１に示したように、中間の床用ガラリ部材１Ａの落下物防止用のフィルター７の網目が見える孔だけが上下連通しており、その他の孔及び端部の床用ガラリ部材１Ｂの孔は、意匠的外観を良くするためだけに設けられており、途中で塞がっている。
【００３７】
次に、補強金具４Ａ，４Ｂの役目がよく分かるように、より詳細に説明する。
【００３８】
まず、床用ガラリ部材１Ａ，１Ａ間に介装される補強金具４Ａは、図６及び図７に示したように、垂直板状をなし、左右に係止部４１，４１を有し、係止部４１，４１の付け根部分に、固定部としての挿通孔４２がそれぞれ形成されている。
【００３９】
また、補強金具４Ａの中央部には、長手方向に長い長孔４３が設けられ、その下側には、プレス成形加工で背面側に突出した膨出部４４が形成されている。
【００４０】
さらに、補強金具４Ａの長孔４３と挿通孔４２，４２との間には、上側から切り込まれた切欠４５，４５が設けられ、その下側には、プレス成形加工で正面側に突出した膨出部４６，４６が形成されている。
【００４１】
そして、図８に示したように、床用ガラリ部材１Ａの左側の端部に設けられた嵌合突起１１ａ，１１ａに補強金具４Ａの切欠４５，４５を、上端部が突出縁部１２ａ，１２ａに至るまで嵌め込み、締結部材としての固定用ビス８を、挿通孔４２及び固定用孔１３にねじ込むことで、補強金具４Ａが床用ガラリ部材１Ａの左側の端部に固定される。
【００４２】
そのうえで、図９に示したように、床用ガラリ部材１Ａ，１Ａの端部同士を向かい合わせ、左側の床用ガラリ部材１Ａの嵌合突起１１ｂ，１１ｂを、右側の床用ガラリ部材１Ａに固定した補強金具４Ａの切欠４５，４５の残りの隙間に嵌め込むとともに、突出縁部１２ａ，１２ａ間に露出した補強金具４Ａの上端部に突出縁部１２ｂを被せて、床用ガラリ部材１Ａ，１Ａ同士を連結する。
【００４３】
これにより、補強金具４Ａの膨出部４４は、右側の床用ガラリ部材１Ａの端部の下面を支持し、膨出部４６，４６は、左側の床用ガラリ部材１Ａの端部の下面を支持するとともに、補強金具４Ａの上端部は、突出縁部１２ａ，１２ａ，１２ｂにより隠蔽される。
【００４４】
次に、床用ガラリ部材１Ａ，１Ｂ間に介装される補強金具４Ｂは、図１０に示したように、中央部の膨出部４４が無いことが、補強金具４Ａと主に異なる。
【００４５】
補強金具４Ａ，４Ｂは、プレス型を使用したプレス加工で生産される。１回目のプレス加工で、一方向の膨出部４６，４６を形成して補強金具４Ｂが得られる。更に２回目のプレス加工で逆方向の膨出部４４を形成して補強金具４Ａが得られる。このように共通の工程を有することで、２種の補強金具４Ａ，４Ｂを効率的に生産することができる。
【００４６】
なお、床用ガラリ部材１Ａ，１Ｂ同士の連結も、床用ガラリ部材１Ａ，１Ａ同士の連結と略同様に行えるので、説明は省略する。
【００４７】
また、補強金具４Ｂには、膨出部４４が無いが、端部の床用ガラリ部材１Ｂは、図２及び図５に示したように、略全体が床下地材２１で支持されるので充分な強度を確保することができる。
【００４８】
次に、実施例の作用効果について説明する。
【００４９】
このような実施例の床用ガラリ１の補強金具４Ａ，４Ｂは、床部２に形成された開口３に嵌め込まれる複数の床用ガラリ部材１Ａ，１Ａ，１Ｂ，１Ｂの端部を垂直荷重に対して補強する床用ガラリの補強金具である。
【００５０】
そして、垂直板状をなし、左右に開口３の縁部に係止する係止部４１，４１を有し、床部２の開口３に嵌め込んだ際に隣り合う床用ガラリ部材１Ａ，１Ａ間及び床用ガラリ部材１Ａ，１Ｂ間に介装される構成とされている。
【００５１】
上記した構成なので、補強金具４Ａ，４Ｂにより、床部２の開口３に嵌め込んだ際に隣り合う床用ガラリ部材１Ａ，１Ｂの端部が補強されるため、床用ガラリ１の強度を高めることができ、その上を歩行しても撓みが少ないので違和感がない。
【００５２】
ここで、床部２の開口３に嵌め込んだ際に隣り合う床用ガラリ部材１Ａ，１Ａ及び床用ガラリ部材１Ａ，１Ｂの一方の端部に締結部材としての固定用ビス８で固定するための固定部としての挿通孔４２，４２を有する。
【００５３】
このため、一方の床用ガラリ部材１Ａの端部に補強金具４Ａ，４Ｂを固定した状態とするので、通常と同様、床部２の開口３に床用ガラリ部材１Ａ，１Ａ，１Ｂ，１Ｂを嵌め込むだけで、隣り合う床用ガラリ部材１Ａ，１Ａ間及び床用ガラリ部材１Ａ，１Ｂ間に補強金具４Ａ，４Ｂが介装された状態とすることができるし、一方の床用ガラリ部材１Ａの端部に補強金具４Ａ，４Ｂを容易に固定することができる。
【００５４】
また、補強金具４Ａは、下部に、床部２の開口３に嵌め込んだ際に隣り合う床用ガラリ部材１Ａ，１Ａの両方の端部の下面を支持する膨出部４４，４６，４６を有する。
【００５５】
このため、膨出部４４，４６，４６が支持する両方の床用ガラリ部材１Ａ，１Ａの端部の下面部分も補強することができる。
【００５６】
さらに、補強金具４Ｂは、下部に、床部２の開口３に嵌め込んだ際に隣り合う床用ガラリ部材１Ａ，１Ｂの一方の端部の下面を支持する膨出部４６，４６を有する。
【００５７】
このため、膨出部４６，４６が支持する床用ガラリ部材１Ａの端部の下面部分も補強することができる。
【００５８】
ここで、膨出部４４，４６，４６は、プレス加工で成形加工されている。
【００５９】
このため、膨出部４４，４６，４６を容易に形成することができる。
【００６０】
また、補強金具４Ａ，４Ｂは、床部２の開口３に嵌め込んだ際に隣り合う床用ガラリ部材１Ａ，１Ａ及び床用ガラリ部材１Ａ，１Ｂの上部に形成された突出縁部１２ａ，１２ａ，１２ｂで隠蔽される板厚である。
【００６１】
このため、突出縁部１２ａ，１２ａ，１２ｂにより、補強金具４Ａ，４Ｂの上面も隠蔽されるので、意匠的外観が良いものとすることができる。
【００６２】
さらに、床部２の開口３に嵌め込んだ際に隣り合う床用ガラリ部材１Ａ，１Ａ間及び床用ガラリ部材１Ａ，１Ｂ間に形成された嵌合突起１１ａ，１１ｂが嵌り込む切欠４５，４５が設けられている。
【００６３】
このため、嵌合突起１１ａ，１１ｂにより、床用ガラリ部材１Ａ，１Ａ間及び床用ガラリ部材１Ａ，１Ｂ間のガタツキを防止することができるうえに、床用ガラリ部材１Ａ，１Ａ間及び床用ガラリ部材１Ａ，１Ｂ間に補強金具４Ａ，４Ｂを介装することができる。
【００６４】
このような実施例の床用ガラリ１は、上記した実施例の補強金具４Ａ，４Ｂを備えた構成とされている。
【００６５】
上記した構成なので、上記した実施例の補強金具４Ａ，４Ｂの作用効果を奏するものとすることができる。
【００６６】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００６７】
例えば、上記した実施例では、計４枚の床用ガラリ部材１Ａ，１Ａ，１Ｂ，１Ｂを用いて実施したが、これに限定されず、例えば、図１１に示したように、計５枚の床用ガラリ部材１Ａ，１Ａ，１Ａ，１Ｂ，１Ｂを用いるなどして実施してもよい。
【００６８】
また、上記した実施例では、補強金具４Ａ，４Ｂを一方の床用ガラリ部材１Ａの端部に固定用ビス８で固定して実施したが、これに限定されず、接着剤を用いて固定してもよいし、固定用ビス８と接着剤の両方で固定して実施してもよい。
【００６９】
さらに、上記した実施例では、補強金具４Ａ，４Ｂを一方の床用ガラリ部材１Ａの端部に固定して実施したが、これに限定されず、固定せずに実施してもよい。
【００７０】
また、上記した実施例では、補強金具４Ａ，４Ｂを、床用ガラリ１に適用して実施したが、これに限定されず、例えば、壁用ガラリや天井用ガラリなどに適用して実施してもよい。
【符号の説明】
【００７１】
１      床用ガラリ（ガラリ）
１Ａ    （中間の）床用ガラリ部材（ガラリ部材）
１Ｂ    （端部の）床用ガラリ部材（ガラリ部材）
１１ａ  嵌合突起
１１ｂ  嵌合突起
１２ａ  突出縁部
１２ｂ  突出縁部
１３    固定用孔
２      床部（所定の面）
２０    床仕上材
２１    床下地材
３      開口
４Ａ    補強金具
４Ｂ    補強金具
４１    係止部
４２    挿通孔（固定部）
４３    長孔
４４    膨出部
４５    切欠
４６    膨出部
５      床梁
５０    床小梁
６      補強根太
７      落下物防止用のフィルター
８      固定用ビス（締結部材）
【図１】
2015175579.tif 000003
【図２】
2015175579.tif 000004
【図３】
2015175579.tif 000005
【図４】
2015175579.tif 000006
【図５】
2015175579.tif 000007
【図６】
2015175579.tif 000008
【図７】
2015175579.tif 000009
【図８】
2015175579.tif 000010
【図９】
2015175579.tif 000011
【図１０】
2015175579.tif 000012
【図１１】
2015175579.tif 000013